(57)【要約】【課題】単に落し棒等の棒状施錠部材を押し下げるだけで下降位置で固定が成されるようにする。【解決手段】ケース本体３内に、前記落し棒４が貫通されるとともに、一端側をほぼ回動支点として揺動動作可能な略リング状のロック板６を配設し、かつ前記ロック板６の他端側位置に、ロック板６の他端部が係合するとともに、前記落し棒４のスライド方向に沿って所定範囲でスライド可能とされ、かつバネ７によって常時外方側に付勢された解錠用押操作部材５を配設し、前記解錠用押操作部材５が付勢力によって外方側に位置する時、前記ロック板６が傾斜状態となり落し棒４の周面に接触係合することにより落し棒４を移動不能に固定し、付勢力に抗して前記解錠用押操作部材５を押圧した際、前記ロック板６が揺動動作し前記落し棒４とロック板６とが遊挿状態となり、落し棒４が解錠位置に移動可能となっている。【選択図】　図３
2004019204.tif 000002
【特許請求の範囲】
【請求項１】
棒状の施錠部材がケース本体を貫通して設けられ、前記棒状施錠部材をスライドさせることによって施錠を成すようにした錠装置において、
前記ケース本体内に、前記棒状施錠部材が貫通されるとともに、一端側をほぼ回動支点として揺動動作可能な略リング状のロック板を配設し、かつ前記ロック板の他端側位置に、ロック板の他端部が係合するとともに、前記棒状施錠部材のスライド方向に沿って所定範囲でスライド可能とされ、かつ弾発手段によって常時外方側に付勢された解錠用押操作部材を配設し、
前記解錠用押操作部材が付勢力によって外方側に位置する時、前記ロック板が傾斜状態となり棒状施錠部材の周面に接触係合することにより棒状施錠部材を移動不能に固定し、付勢力に抗して前記解錠用押操作部材を押圧した際、前記ロック板が揺動動作し前記棒状施錠部材とロック板とが遊挿状態となり、棒状施錠部材が解錠位置に移動可能となっていることを特徴とする錠装置。
【請求項２】
前記棒状施錠部材に対し、少なくとも施錠時において、該棒状施錠部材を解錠側方向に付勢する弾発手段を組み込んである請求項１記載の錠装置。
【請求項３】
前記棒状施錠部材の弾発手段は、棒状施錠部材に外嵌して設けられたスプリングである請求項２記載の錠装置。
【請求項４】
前記棒状施錠部材の弾発手段は、前記棒状施錠部材の下端部に所定の範囲でスライド可能に地面等に対する当接部材を設けるとともに、この当接部材に内設されたスプリングである請求項２記載の錠装置。
【請求項５】
前記棒状施錠部材の周面に、前記ロック板の噛み込みのための凹凸加工を施してある請求項１〜４いずれかに記載の錠装置。
【発明の詳細な説明】
【０００１】
【発明の属する技術分野】
本発明は、門扉、シャッター等に用いられる落とし錠、扉の任意の開位置に保持するドアホルダーまたはトイレ等の開き戸等に用いられるラッチ錠などの構造に適用可能な錠装置に関する。
【０００２】
【従来の技術】
例えば、両開き式門扉においては、通常、一方側の門扉のみを開閉自在とし、他方側の門扉は開閉不能に固定しておくため、或いは横引き式のガレージ用扉を閉めた状態で施錠するために上げ落し錠が用いられている。この場合、前記門扉等は一般的に、地面にある小石等に接触することを防ぐために、門扉の下縁と地面との間には手が入る程度の隙間を設けるようにしてある。そのため、門扉と地面との間の隙間から手や工具により落し棒を掴むことが可能であるため、外部から落し棒を上昇させて落し棒と受け部材との係合状態を解き、上げ落し錠を解錠できてしまうなどの問題があった。また、落し棒の出しろを固定した場合、扉と地面との間隔が個々の施工場所毎にまちまちであるため、汎用性に欠けるなどの問題もあった。
【０００３】
このような問題に対処するため、特開平９−１５８５８０号公報では、図１１に示されるように、扉類に固定する基板５１と、ロック棒５２を保持して基板５１に対して摺動するブロック５３との両接合面に咬合部５４、５５を形成しておき、前記ロック棒５２を下降させ下端部を地盤又は床面に埋設された受け部材に嵌合させたならばレバー５６の回動操作により前記ブロック５３を基板５１側に引寄せ、基板５１の咬合部５５と噛み合わせることによりロック棒５２を上下動不能に固定し、解除時には前記レバー５６を反対方向に回動させることにより前記ブロック５３を基板５１から引き離し、前記ロック棒５２を上昇操作可能とした上げ落とし錠５０が開示されている。
【０００４】
【発明が解決しようとする課題】
しかしながら、前述の上げ落とし錠５０の場合には、ロック棒５２を下降し施錠を図る際、解錠する際、そして上昇位置で固定する際など、ロック棒５２の移動時および固定時のすべての操作毎にレバー５６の回動操作を要するため、操作が非常に煩雑であるなどの問題があった。
【０００５】
一方、前記上げ落し錠に限らず、ドアを任意に開き位置に保持するドアホルダーやトイレ等の開き戸等に用いられるラッチ錠など棒状の施錠部材をスライドさせて施錠を図る錠装置についても同様の問題がある。
【０００６】
そこで本発明の第１課題は、単に落し棒等の棒状施錠部材を押し下げるだけで下降位置（施錠位置）で固定が成されるようにした落とし錠やドアホルダー、またはラッチを水平移動しストライクに嵌入させる操作のみで嵌入位置で固定が成されるようにしたラッチ錠等、棒状施錠部材の施錠時及び／又は解錠時等における操作が非常に簡単で済む錠装置を提供することにある。
【０００７】
次いで第２課題は、前記錠装置において、解錠に際して、操作部材のプッシュ操作のみによって前記落し棒又はラッチ等の棒状施錠部材を自動的に解錠位置まで移動するようにした錠装置を提供することにある。
【０００８】
【課題を解決するための手段】
前記第１課題を解決するために請求項１に係る本発明として、棒状の施錠部材がケース本体を貫通して設けられ、前記棒状施錠部材をスライドさせることによって施錠を成すようにした錠装置において、
前記ケース本体内に、前記棒状施錠部材が貫通されるとともに、一端側をほぼ回動支点として揺動動作可能な略リング状のロック板を配設し、かつ前記ロック板の他端側位置に、ロック板の他端部が係合するとともに、前記棒状施錠部材のスライド方向に沿って所定範囲でスライド可能とされ、かつ弾発手段によって常時外方側に付勢された解錠用押操作部材を配設し、
前記解錠用押操作部材が付勢力によって外方側に位置する時、前記ロック板が傾斜状態となり棒状施錠部材の周面に接触係合することにより棒状施錠部材を移動不能に固定し、付勢力に抗して前記解錠用押操作部材を押圧した際、前記ロック板が揺動動作し前記棒状施錠部材とロック板とが遊挿状態となり、棒状施錠部材が解錠位置に移動可能となっていることを特徴とする錠装置が提供される。
【０００９】
上記請求項１記載の本発明においては、前記解錠用押操作部材が付勢力によって外方側に位置する状態では、前記ロック板が傾斜状態となり棒状施錠部材の周面に接触係合することにより棒状施錠部材を上方向に移動不能に固定する。この状態から解錠する場合、すなわち棒状施錠部材を地面から離間させる場合には、前記解錠用押操作部材を付勢力に抗して下方に押圧すると、前記解錠用押操作部材の移動によりロック板が一端側を回動支点として傾斜角度が緩くなる側に揺動動作し、前記棒状施錠部材とロック板との接触係合状態が解除されて棒状施錠部材が遊挿状態となり、前記棒状施錠部材を手で上方向に引き上げできるようになる。
【００１０】
次いで、前記第２課題を解決するために請求項２に係る本発明として、前記棒状施錠部材に対し、少なくとも施錠時において、該棒状施錠部材を解錠側方向に付勢する弾発手段を組み込んである請求項１記載の錠装置が提供される。
【００１１】
請求項３に係る本発明として、前記棒状施錠部材の弾発手段は、棒状施錠部材に外嵌して設けられたスプリングである請求項２記載の錠装置が提供される。
【００１２】
請求項４に係る本発明として、前記棒状施錠部材の弾発手段は、前記棒状施錠部材の下端部に所定の範囲でスライド可能に床当接部材を設けるとともに、この床当接部材に内設されたスプリングである請求項２記載の錠装置が提供される。
【００１３】
上記請求項２〜４記載の発明においては、施錠状態時において、弾発手段による付勢力により棒状施錠部材が解錠方向に付勢されているため、前記解錠用押操作部材５を押圧し、ロック板と棒状施錠部材との接触係合が解除された瞬間に、棒状施錠部材が自動的に解錠方向に移動するようになる。
【００１４】
請求項５に係る本発明として、前記棒状施錠部材の周面に、前記ロック板の噛み込みのための凹凸加工を施してある請求項１〜４いずれかに記載の錠装置が提供される。
【００１５】
【発明の実施の形態】
以下、本発明の実施の形態について図面を参照しながら詳述する。
【００１６】
〔第１形態例〕
図１は、両開き式門扉１に対する適用例を示したものである。両開き式門扉１では、通常、一方側の門扉１Ａのみを開閉自在とし、他方側の門扉１Ｂは開閉不能に固定しておくために戸先下端部に本発明に係る上げ落し錠２が用いられる。この上げ落し錠２は、上下移動可能な落し棒４を備え、地面側に埋設された受け部材に対して前記落し棒４の下端が嵌合することにより、或いは本例のように落し棒４の下端が直接、地面に当接することにより、門扉１Ｂを開閉不能に保持するようになっている。
【００１７】
前記上げ落し錠２は、詳細には図２に示されるように、門扉１Ｂにビス等によって固定されるケース本体３と、このケース本体３を上下方向に貫通して設けられる本発明の棒状施錠部材たる落し棒４と、ケース本体３内において前記落し棒４が貫通されるとともに、一端側をほぼ回動支点として揺動動作可能な略リング状のロック板６と、前記ロック板６の他端側位置に配設され、ロック板６の他端部が係合するとともに、前記落し棒４のスライド方向に沿って所定範囲でスライド可能とされ、かつ弾発手段たるスプリング７によって常時、外方側（上方向）に付勢された解錠用押操作部材５とから構成されている。
【００１８】
以下、具体的に詳述すると、
前記ケース本体３は、詳細には図３に示されるように、上下方向に貫通する挿通孔３ａが形成されるとともに、この挿通孔３ａの中間部に前記ロック板６の配設空間部３ｂを有し、かつ前記挿通孔３ａの隣接位置に前記解錠用押操作部材５の嵌設空間部３ｃが形成された樹脂又はダイキャスト等からなる部材で、外面側には上下両端部にそれぞれ門扉１Ｂへの取付けのためにビス孔３ｄ、３ｄ…を備えている。
【００１９】
前記ロック板配設空間部３ｂは、内設される前記ロック板６が一端側６ａを略回動支点として揺動動作可能なように、前記ロック板配設空間部３ｂの一方側（解錠用押操作部材５の嵌設空間部３ｃの反対側）に縦断面形状が略三角形状の空間３ｅが形成されている。また、前記解錠用押操作部材５の嵌設空間部３ｃは、上部側から順に、解錠用押操作部材５の操作部分を外部に突出させる垂直孔部３ｅ、前記ロック板配設空間部３ｂと空間を共有する共有区間部３ｆ、解錠用押操作部材５を外方側（上部側）に付勢するためのバネ等の弾発手段設置空間部３ｇとから構成されている。
【００２０】
前記ロック板６は、前記落し棒４の断面形状に整合する孔形状であって、かつこれに若干の遊間を持たせた挿通孔６ｂを有する略リング状の部材で、平面外形状は例えば円形、方形、多角形状等、任意の形状とすることができる。また、完全なリング状でなくてもＣ字形状の如き形状であってもよい（このＣ字状も前記略リング状の概念に含むものとする。）。材質は、プラスチック等の樹脂とすることも可能であるが、強度および落し棒４に対する噛み込み等の点で好ましくは金属類が用いられる。また、前記落し棒４に対する噛み込みを確実とするため、挿通孔６ｂの内周縁部分にバリ状のエッジ部を設けるようにしてもよい。
【００２１】
一方、前記嵌設空間部３ｃに嵌設される解錠用押操作部材５は、上部側から順に、相対的に断面寸法が小さくかつ上端部分がケース本体３よりも外方に突出している操作部５Ａと、相対的に断面寸法が大きいロック板作動部５Ｂとからなる部材で、前記ロック板作動部５Ｂには前記ロック板６の他端部６ｃが係合する凹状切欠き部５ｃがロック板６側に向けて形成されているとともに、前記ロック板作動部５Ｂの下端面にはバネ嵌設孔部５ｄが形成されている。前記解錠用押操作部材５は、図３に示すように、ケース本体３の弾発手段設置空間部３ｇ内にバネ７を内設し、バネ７の上端部を解錠用押操作部材５のバネ嵌設孔部５ｄに挿入するとともに、ロック板６の他端部６ｃを前記凹状切欠き部５ｃに係合させた状態で嵌設空間部３ｃに設置される。
【００２２】
他方、前記落し棒４は、上端部にキャップ状の握り部４Ａを備えるとともに、下端部には好ましくはゴム等の弾性体からなる当接部材８がピン９により取り付けられ、前記当接部材８が直接、地面等に当接することにより、門扉１Ｂを閉状態に保持するようになっている。前記落し棒４の周面の内、少なくともロック板６との接触面には、ロック板６の噛み込みを確実にするために、鋸歯状、或いは格子形、菱形、七子目、ダイヤモンド形等の任意の刻み目を付した凹凸加工を付与することができる。
【００２３】
図３に示される状態、すなわち前記解錠用押操作部材５がバネ部材７の付勢力によって外方側（上方側）に位置する状態では、前記ロック板６が傾斜状態となり落し棒４の周面に接触係合することにより落し棒４が上方向に移動不能に固定されるようになっている。
【００２４】
この状態から上げ落し錠２を解錠状態に、すなわち前記落し棒４を地面から離間させるには、図４に示されるように、前記解錠用押操作部材５をバネ部材７の付勢力に抗して下方に押圧する。解錠用押操作部材５が下方向に移動されると、前記ロック板６の他端６ｃが係合している凹状切欠き部５ｃが下方向に移動するため、ロック板６が一端側６ａを回動支点として傾斜角度が緩くなる側に揺動動作し、前記落し棒４とロック板６との接触係合状態が解除され、落し棒４が遊挿状態となり、前記落し棒４を手で上方向に引き上げできるようになる。そして、落し棒４を上方向に引き上げた状態で前記解錠用押操作部材５から手を離すと、図３に示されるように、ロック板６が傾斜状態となり落し棒４の周面に接触係合することにより落し棒４を上昇位置で移動不能に固定することができる。
【００２５】
その後に再び、上げ落し錠２を施錠したい場合には、前記落し棒４を単に下限位置まで押し下げるだけで施錠を成すことができる。すなわち、前記解錠用押操作部材５が付勢力によって外方側に位置し、前記ロック板６が傾斜状態となり落し棒４の周面に接触係合している状態にあるけれども、この状態から前記落し棒４を押し下げる場合には、ロック板６がバネ部材７の付勢力に抗しながらも下方向に揺動可能な状態にあり、落し棒４の下降に伴ってロック板６が一端側６ａを回動支点として傾斜角度が緩くなる側への揺動動作と、僅かに揺動動作すると落し棒４との接触係合が解除されて元の傾斜状態に戻る復帰動作とを小刻みに繰り返すことにより、落し棒４を下降させることが可能であり、下端の当接部材８が地面に当接するまで下降させた状態では、自動的にロック板６により落し棒４が上方向に移動できないように拘束されるようになる。
【００２６】
〔第２形態例〕
次いで、図５に示される第２形態例に係る上げ落し錠２Ａは、解錠するため前記解錠用押操作部材５を押した際、落し棒４が自動的に上方向に上昇するようにして、解錠操作の手間を軽減するようにしたものである。なお、図示例の上げ落し錠２Ａにおいて、落し棒４の長さおよび頭部形状が異なるが、上げ落し錠自体の構造は前記第１形態例と全く同様であり、同符号を付して説明は省略する。
【００２７】
本第２形態例においては、同図に示されるように、落し棒４に対し、少なくとも施錠時において、該落し棒４を解錠側方向に付勢する弾発手段を組み込んである。具体的には、落し棒４の握り部１１とケース本体３との間において、落し棒４を外嵌するように解錠動作用スプリング１０を設け、施錠した際に前記解錠動作用スプリング１０により落し棒４を上昇方向に付勢する付勢力が発生するようにしている。なお、本例では見映えを良くするために、握り部１１内に落し棒４の周囲に沿って環状のスプリング収容孔１１ａを形成し、施錠時（図５（Ａ）の状態）に前記スプリング収容孔１１ａ内に前記解錠動作用スプリング１０が隠れるようになっている。
【００２８】
図５（Ａ）に示されるように、上げ落し錠２Ａの施錠状態では、前記解錠動作用スプリング１０によって落し棒４が上昇方向に付勢されているため、図５（Ｂ）に示されるように、前記解錠用押操作部材５を押圧しロック板６と落し棒４との接触係合が解除された瞬間に、前記解錠用スプリング１０の付勢力により前記落し棒４を自動的に上方向に移動するようになる。なお、施錠したい場合には、単に落し棒４を下方向に押し下げればよく、落し棒４が下限位置にて引上げできないように施錠される。この点は上記第１形態例と同様である。
【００２９】
次いで、図６に示される上げ落し錠２Ｂの例は、解錠時に落し棒４を上方向に上昇させる弾発手段を、落し棒４の先端部に組み込んだ例である。
【００３０】
同図に示されるように、落し棒４の下端部に、所定の範囲でスライド可能に有底筒状の当接部材１３を取付けるとともに、この当接部材１３内部に解錠動作用スプリング１０を内設する。前記当接部材１３は上端部に内径を狭める係止突起１３ｂが形成され、落し棒４の下端に形成された突起４ｂが衝合することにより抜け出ないように保持されている。
【００３１】
図６（Ｂ）に示されるように、落し棒４を下降させた施錠状態では、当接部材１３内に内設された前記解錠動作用スプリング１０が落し棒４の下端面に押圧されて収縮した状態で保持され、落し棒４に対し上昇方向の付勢力を与えるようになっている。
【００３２】
そして、前記解錠用押操作部材５を押圧しロック板６と落し棒４との接触係合が解除された瞬間に、前記解錠用スプリング１０の付勢力により前記落し棒４を自動的に上方向に移動させることができる。
【００３３】
また、かかる上げ落し錠２Ｂの場合、施錠時に当接部材１３が解錠用スプリング１０により反作用的に地面側に弾発的に付勢保持されるため、門扉１Ｂが安定的に施錠保持されるようになる。
【００３４】
上記第１形態例および第２形態例に係る上げ落し錠２，２Ａ、２Ｂにおいては、図７に示すように、解錠用押操作部材５に対しロック機構を設けることもできる。具体的には、ケース本体３の上面側に支軸１５により鉛直軸回りに水平方向に揺動動作可能にロックレバー１４を設けるとともに、前記解錠用押操作部材５の側部に前記ロックレバー１４の側部が係合するロックレバー係合溝５ａを形成しておき、同図に示されるように、施錠状態時において、前記ロックレバー１４を解錠用押操作部材５側に回動させ、ロックレバー係合溝５ａに係合させることにより、解錠用押操作部材５を移動不能に保持し、誤って解錠してしまう事態を防ぐことができる。
【００３５】
ところで、前記上げ落し錠２、２Ａ、２Ｂは、開閉ドア１６を所定の開き位置に保持するためのドアホルダーとしても使用することができる。図８に示されるように、ドア１６を開放状態に保持するために戸先下端部に前記上げ落し錠２、２Ａ、２Ｂが用いられる。
【００３６】
また、前記上げ落し錠２〜２Ｂは、図９に示されるような、シャッター１７の中柱１７Ａの固定具としても使用可能である。比較的間口の広い店舗シャッター１７などでは、中柱１７Ａを人力により設置し、シャッター１７を閉めるような構造が採られているが、前記中柱１７Ａの下端を固定するために、前記上げ落し錠２〜２Ｂを用いることができる。
【００３７】
〔第３形態例〕
次いで、図１０に示される錠装置は、本発明に係る錠装置の構造、好ましくは落し棒４に弾発手段を備える図５の構造をそのままトイレ等のドアの施錠装置に応用した例である。なお、本例の場合は外形状および構造寸法は、ドアの施錠装置として適合可能なように変更されている。また、同機能の部材には上記形態例と同符号を付している。
【００３８】
具体的には、ドア１８にビス等によって固定されるケース本体３と、このケース本体３を水平方向に貫通して設けられる、本発明の棒状施錠部材たるラッチ４と、ケース本体３内において前記ラッチ４が貫通されるとともに、一端側をほぼ回動支点として揺動動作可能な略リング状のロック板６と、前記ロック板６の他端側位置に、ロック板６の他端部が係合するとともに、前記落し棒４のスライド方向に沿って所定範囲でスライド可能とされ、かつ弾発手段たるスプリング７によって常時、外方側（上方向）に付勢された解錠用押操作部材５とから構成されている。また、ラッチ頭部４Ａとケース本体３との間において、ラッチ４を外嵌するように解錠動作用スプリング１０を設け、施錠時に前記解錠動作用スプリング１０によりラッチ４を解錠方向側に付勢するようにしている。前記ラッチ４の先端には抜止めのため先端キャップ４Ｂが嵌設されている。なお、それぞれの部材の詳細については、既に説明済みであるため省略する。
【００３９】
一方、囲い板２１側には、施錠時に前記ラッチ４の先端部が嵌入可能なように、水平方向に嵌合孔１９ａが形成されたストライク（受け係合具）１９がビス等により固定されている。
【００４０】
かかる錠装置においても、施錠を成す場合には、前記ラッチ４をストライク１９側に押し込み、先端部を前記係合孔１９ａに嵌入させる。この際、前記解錠用スプリング１０が収縮され、ラッチ４に対して解錠方向の付勢力が発生するため、解錠用押操作部材５を押操作し、ラッチ４とロック板６との接触係合が解除されると、前記解錠用スプリング１０の付勢力により自動的に前記ラッチ４が解錠方向に移動しドア１８の解錠が成されるようになる。
【００４１】
【発明の効果】
以上詳説のとおり、本発明を上げ落し錠やドアホルダーに適用した場合には、単に落し棒を押し下げるだけで下降位置（施錠位置）で固定が成されるようになる。また、ラッチ錠に適用した場合には、ラッチを水平移動しストライクに嵌入させる操作のみで嵌入位置で固定が成されるようになるなど、施錠時操作が非常に簡単で済むようになる。
【００４２】
また、前記落し棒又はラッチ等の棒状施錠部材に対し、少なくとも施錠時において、該棒状施錠部材を解錠側方向に付勢する弾発手段を組み込むことにより、解錠に際して、操作部材のプッシュ操作のみによって前記落し棒又はラッチ等の棒状施錠部材を自動的に解錠位置まで移動できるようになる。
【図面の簡単な説明】
【図１】上げ落し錠２の両開き式門扉１に対する適用例を示す図である。
【図２】上げ落し錠２の（Ａ）は正面図、（Ｂ）は側面図、（Ｃ）は平面図である。
【図３】上げ落し錠２の施錠状態を示す縦断面図である。
【図４】上げ落し錠２の解錠状態を示す縦断面図である。
【図５】解錠用スプリング１０を有する上げ落し錠２Ａの側面図であり、（Ａ）はその施錠状態、（Ｂ）はその解錠状態である。
【図６】解錠用スプリング１０を内設した当接部材１３を有する上げ落し錠２Ｂの側面図であり、（Ａ）はその解錠状態、（Ｂ）はその施錠状態である。
【図７】ロックレバー１４を備えた上げ落し錠２Ｃを示す、（Ａ）は側面図、（Ｂ）は平面図である。
【図８】本発明に係る上げ落し錠２〜２Ｂのドアホルダーへの適用例を示す図である。
【図９】本発明に係る上げ落し錠２〜２Ｂのシャッター中柱１７Ａへの適用例を示す図である。
【図１０】トイレドア等のラッチ錠としての使用例を示す図である。
【図１１】従来の上げ落し錠５０の施錠構造を示す要部拡大縦断面図である。
【符号の説明】
１…両開き式門扉、１Ａ・１Ｂ…門扉、２〜２Ｃ…上げ落し錠、３…ケース本体、４…落し棒、５…解錠用押操作部材、６…ロック板、７…スプリング、８…扉止め、１０…解錠用スプリング、１３…当接部材、１４…ロックレバー、１６・１８…ドア、１７…シャッター、１７Ａ…中柱、１９…ストライク
【図１】
2004019204.tif 000003
【図２】
2004019204.tif 000004
【図３】
2004019204.tif 000005
【図４】
2004019204.tif 000006
【図５】
2004019204.tif 000007
【図６】
2004019204.tif 000008
【図７】
2004019204.tif 000009
【図８】
2004019204.tif 000010
【図９】
2004019204.tif 000011
【図１０】
2004019204.tif 000012
【図１１】
2004019204.tif 000013